【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
撮影装置と、直接接続または記録装置を介して接続可能な画像表示装置であって、
前記画像表示装置の内部の温度を低減するためのファンと、
前記撮影装置が被写体を撮影することによって生成された画像データを前記撮影装置または前記記録装置で記録する画像記録処理に関連する記録処理情報を取得する第１取得手段と、
前記記録処理情報に基づいて、前記画像記録処理の実行に伴い、前記ファンの回転速度を低減または前記ファンの回転を停止する音低減処理を行う低減手段と、
を有することを特徴とする画像表示装置。
【請求項２】
前記撮影装置と前記画像表示装置との間の距離を表す距離情報を取得する第２取得手段をさらに有し、
前記低減手段は、前記距離情報と前記記録処理情報に基づいて、
前記距離が閾値以上であり、且つ、前記画像記録処理が行われる場合に、前記音低減処理を行わず、
前記距離が閾値未満であり、且つ、前記画像記録処理が行われる場合に、前記音低減処理を行う
ことを特徴とする請求項１に記載の画像表示装置。
【請求項３】
前記撮影装置から送信された無線信号を受信する受信手段をさらに有し、
前記第２取得手段は、前記受信手段が前記無線信号を受信した際の前記無線信号のレベルである受信レベルに基づいて、前記距離情報を生成する
ことを特徴とする請求項２に記載の画像表示装置。
【請求項４】
前記撮影装置の位置を表す第１位置情報を取得する第３取得手段と、
前記画像表示装置の位置を表す第２位置情報を取得する第４取得手段と、
をさらに有し、
前記第２取得手段は、前記第１位置情報と第２位置情報に基づいて、前記距離情報を生成する
ことを特徴とする請求項２に記載の画像表示装置。
【請求項５】
前記低減手段は、前記画像記録処理の実行に伴い、前記音低減処理を所定期間だけ行うことを特徴とする請求項１〜４のいずれか１項に記載の画像表示装置。
【請求項６】
撮影装置と、直接接続または記録装置を介して接続可能な画像表示装置であって、
前記画像表示装置の内部の温度を低減するためのファンと、
前記撮影装置が被写体を撮影することによって生成された画像データを記録する指示を示す情報であって、前記撮影装置で生成された情報である記録処理情報を取得する第１取得手段と、
前記第１取得手段により前記記録処理情報が取得されたことに応じて、前記ファンの回転速度を低減または前記ファンの回転を停止する音低減処理を行う低減手段と、
を有することを特徴とする画像表示装置。
【請求項７】
前記低減手段は、前記第１取得手段により前記記録処理情報が取得されたことに応じて、前記音低減処理を所定期間だけ行う
ことを特徴とする請求項６に記載の画像表示装置。
【請求項８】
前記記録処理情報は、前記画像データに付加されるメタデータである
ことを特徴とする請求項１〜７のいずれか１項に記載の画像表示装置。
【請求項９】
前記記録処理情報は、ＳＤＩ（Ｓｅｒｉａｌ  Ｄｉｇｉｔａｌ  Ｉｎｔｅｒｆａｃｅ）信号に含まれるアンシラリーデータである
ことを特徴とする請求項１〜８のいずれか１項に記載の画像表示装置。
【請求項１０】
前記第１取得手段は、前記記録処理情報を前記撮影装置から取得する
ことを特徴とする請求項１〜９のいずれか１項に記載の画像表示装置。
【請求項１１】
前記記録処理情報は、前記撮影装置が被写体を撮影することによって生成された動画像データと、前記動画像データの撮影期間にマイクロフォンに入力された音声を表す音声データとの記録開始指示を示す情報である
ことを特徴とする請求項１〜１０のいずれか１項に記載の画像表示装置。
【請求項１２】
前記画像データは、動画像データである
ことを特徴とする請求項１〜１１のいずれか１項に記載の画像表示装置。
【請求項１３】
前記画像表示装置の内部の温度を低減するためのファンと、
撮影装置が被写体を撮影することによって生成された画像データの撮影時刻を表す撮影時刻情報を取得する取得手段と、
前記取得手段で取得された撮影時刻情報に基づいて、前記撮影が行われている場合に、前記ファンの回転速度を低減または前記ファンの回転を停止する音低減処理を行う低減手段と、
を有し、
前記取得手段は、動画像データに関する撮影時刻情報として、前記動画像データのフレーム毎に、そのフレームの撮影時刻を表す撮影時刻情報を取得し、
前記低減手段は、前記取得手段で取得された撮影時刻情報によって表された撮影時刻が、順次更新され、且つ、現在時刻と異なる場合に、前記音低減処理を行う
ことを特徴とする画像表示装置。
【請求項１４】
前記音低減処理は、前記ファンの回転速度を低減する処理である
ことを特徴とする請求項１〜１３のいずれか１項に記載の画像表示装置。
【請求項１５】
前記音低減処理は、前記ファンの回転を停止する処理である
ことを特徴とする請求項１〜１３のいずれか１項に記載の画像表示装置。
【請求項１６】
撮影装置と、直接接続または記録装置を介して接続され、内部の温度を低減するためのファンを備えた画像表示装置の制御方法であって、
前記撮影装置が被写体を撮影することによって生成された画像データを前記撮影装置または前記記録装置で記録する画像記録処理に関連する記録処理情報を取得する取得ステップと、
前記記録処理情報に基づいて、前記画像記録処理の実行に伴い、前記ファンの回転速度を低減または前記ファンの回転を停止する音低減処理を行う低減ステップと、
を有することを特徴とする画像表示装置の制御方法。
【請求項１７】
撮影装置と、直接接続または記録装置を介して接続され、内部の温度を低減するためのファンを備えた画像表示装置の制御方法であって、
前記撮影装置が被写体を撮影することによって生成された画像データを記録する指示を示す情報であって、前記撮影装置で生成された情報である記録処理情報を取得する取得ステップと、
前記取得ステップにおいて前記記録処理情報が取得されたことに応じて、前記ファンの回転速度を低減または前記ファンの回転を停止する音低減処理を行う低減ステップと、
を有することを特徴とする画像表示装置の制御方法。
【請求項１８】
内部の温度を低減するためのファンを備えた画像表示装置の制御方法であって、
撮影装置が被写体を撮影することによって生成された画像データの撮影時刻を表す撮影時刻情報を取得する取得ステップと、
前記取得ステップで取得された撮影時刻情報に基づいて、前記撮影が行われている場合に、前記ファンの回転速度を低減または前記ファンの回転を停止する音低減処理を行う低減ステップと、
を有し、
前記取得ステップでは、動画像データに関する撮影時刻情報として、前記動画像データのフレーム毎に、そのフレームの撮影時刻を表す撮影時刻情報を取得し、
前記低減ステップでは、前記取得ステップで取得された撮影時刻情報によって表された撮影時刻が、順次更新され、且つ、現在時刻と異なる場合に、前記音低減処理を行う
ことを特徴とする画像表示装置の制御方法。
【請求項１９】
請求項１６〜１８のいずれか１項に記載の画像表示装置の制御方法の各ステップをコンピュータに実行させるためのプログラム。
【手続補正２】
【補正対象書類名】明細書
【補正対象項目名】００１０
【補正方法】変更
【補正の内容】
【００１０】
本発明の第１の態様は、
撮影装置と、直接接続または記録装置を介して接続可能な画像表示装置であって、
前記画像表示装置の内部の温度を低減するためのファンと、
前記撮影装置が被写体を撮影することによって生成された画像データを前記撮影装置または前記記録装置で記録する画像記録処理に関連する記録処理情報を取得する第１取得手段と、
前記記録処理情報に基づいて、前記画像記録処理の実行に伴い、前記ファンの回転速度
を低減または前記ファンの回転を停止する音低減処理を行う低減手段と、
を有することを特徴とする画像表示装置である。
【手続補正３】
【補正対象書類名】明細書
【補正対象項目名】００１１
【補正方法】変更
【補正の内容】
【００１１】
本発明の第２の態様は、
撮影装置と、直接接続または記録装置を介して接続可能な画像表示装置であって、
前記画像表示装置の内部の温度を低減するためのファンと、
前記撮影装置が被写体を撮影することによって生成された画像データを記録する指示を示す情報であって、前記撮影装置で生成された情報である記録処理情報を取得する第１取得手段と、
前記第１取得手段により前記記録処理情報が取得されたことに応じて、前記ファンの回転速度を低減または前記ファンの回転を停止する音低減処理を行う低減手段と、
を有することを特徴とする画像表示装置である。
本発明の第３の態様は、
前記画像表示装置の内部の温度を低減するためのファンと、
撮影装置が被写体を撮影することによって生成された画像データの撮影時刻を表す撮影時刻情報を取得する取得手段と、
前記取得手段で取得された撮影時刻情報に基づいて、前記撮影が行われている場合に、前記ファンの回転速度を低減または前記ファンの回転を停止する音低減処理を行う低減手段と、
を有し、
前記取得手段は、動画像データに関する撮影時刻情報として、前記動画像データのフレーム毎に、そのフレームの撮影時刻を表す撮影時刻情報を取得し、
前記低減手段は、前記取得手段で取得された撮影時刻情報によって表された撮影時刻が、順次更新され、且つ、現在時刻と異なる場合に、前記音低減処理を行う
ことを特徴とする画像表示装置である。
【手続補正４】
【補正対象書類名】明細書
【補正対象項目名】００１２
【補正方法】変更
【補正の内容】
【００１２】
本発明の第４の態様は、
撮影装置と、直接接続または記録装置を介して接続され、内部の温度を低減するためのファンを備えた画像表示装置の制御方法であって、
前記撮影装置が被写体を撮影することによって生成された画像データを前記撮影装置または前記記録装置で記録する画像記録処理に関連する記録処理情報を取得する取得ステップと、
前記記録処理情報に基づいて、前記画像記録処理の実行に伴い、前記ファンの回転速度を低減または前記ファンの回転を停止する音低減処理を行う低減ステップと、
を有することを特徴とする画像表示装置の制御方法である。
【手続補正５】
【補正対象書類名】明細書
【補正対象項目名】００１３
【補正方法】変更
【補正の内容】
【００１３】
本発明の第５の態様は、
撮影装置と、直接接続または記録装置を介して接続され、内部の温度を低減するためのファンを備えた画像表示装置の制御方法であって、
前記撮影装置が被写体を撮影することによって生成された画像データを記録する指示を示す情報であって、前記撮影装置で生成された情報である記録処理情報を取得する取得ステップと、
前記取得ステップにおいて前記記録処理情報が取得されたことに応じて、前記ファンの回転速度を低減または前記ファンの回転を停止する音低減処理を行う低減ステップと、
を有することを特徴とする画像表示装置の制御方法。
本発明の第６の態様は、
内部の温度を低減するためのファンを備えた画像表示装置の制御方法であって、
撮影装置が被写体を撮影することによって生成された画像データの撮影時刻を表す撮影時刻情報を取得する取得ステップと、
前記取得ステップで取得された撮影時刻情報に基づいて、前記撮影が行われている場合に、前記ファンの回転速度を低減または前記ファンの回転を停止する音低減処理を行う低減ステップと、
を有し、
前記取得ステップでは、動画像データに関する撮影時刻情報として、前記動画像データのフレーム毎に、そのフレームの撮影時刻を表す撮影時刻情報を取得し、
前記低減ステップでは、前記取得ステップで取得された撮影時刻情報によって表された撮影時刻が、順次更新され、且つ、現在時刻と異なる場合に、前記音低減処理を行う
ことを特徴とする画像表示装置の制御方法である。
【手続補正６】
【補正対象書類名】明細書
【補正対象項目名】００１４
【補正方法】変更
【補正の内容】
【００１４】
本発明の第７の態様は、上述した画像表示装置の制御方法の各ステップをコンピュータに実行させるためのプログラムである。